(57)【要約】【課題】  ガレージ、倉庫等に設置し、外部からの異常風圧に耐え得る離脱防止機構を備えたシャッター装置を提供する。【解決手段】  本発明は、ガレージ、倉庫等の入口に設置されたシャッターとその横方向の両端を摺動自在に内設したガイド部材とよりなり、このガイド部材よりシャッターが離脱しないように離脱防止機構を設けたものである。それによって、シャッター外部よりの異常風圧に耐えて安全状態を維持することができる。【選択図】        図７
2006342644.tif 000002
【特許請求の範囲】
【請求項１】
ガイド溝を対向して設置せる一対のガイド部材と、前記ガイド溝に両端を摺動自在に内設せるシャッターと、前記ガイド部材及びシャッターの上部に位置し、シャッターを捲装して収納するシャッター収納部材とより構成し、前記シャッターは端縁部を曲成して互いに枢着結合を行うスラットの集合体にして、これらスラットの集合体が前記ガイド部材に位置し、外部からの異常風圧が加わったとき、シャッターの両端がガイド溝より離脱しないように離脱防止機構を設けたことを特徴とせるシャッター装置。
【請求項２】
前記離脱防止機構は、スラットの集合体の少くとも一対の隣り合う上下スラットの両端を前記ガイド部材の間隙より小さくして、これらを折りたたむことにより重合して補強構成にしたことを特徴とせる前記請求項１記載のシャッター装置。
【請求項３】
前記離脱防止装置は、スラット集合体の一部にその両端に補助金具を設け、その端縁をガイド溝に係合関係に配置したことを特徴とせる前記請求項１記載のシャッター装置。
【請求項４】
前記補助金具は、スラットにスポット熔接等にて固着され、その先端の端縁は、ガイド溝と互いの折り返しにより係合したことを特徴とせる前記請求項３記載のシャッター装置。
【発明の詳細な説明】
【技術分野】
【０００１】  本発明は、ガレージ、倉庫等の入口に装備される特に捲き上げ方式のシャッター装置に関するものである。
【背景技術】
【０００２】  ガレージ、倉庫等に用いられるシャッター装置は、スラットを集合体にしたシャッターと、該シャッターの左右両側に突設した軸部を摺動自在に収納せるガイド部と、更には前記シャッターを上方に移動させる際、これらシャッターを折り畳んで順次上枠に重ね合せて収納するシャッター収容部より構成している。（例えば、特許文献１参照。）
【特許文献１】  特開平８−６８２７８号公報
【０００３】  前記のシャッターをガイド部に軸部を収納せる状態、すなわち、正常状態の使用時には、台風等の異常風圧がシャッターに加わったときには、軸部にのみ負荷が加わり、シャッターが内側に弯曲して、その軸部がガイド部より離脱し易くなり、極端な異常圧力に耐え難くなったり、軸部が破損してシャッター全体が完全に外れてしまうような事故が発生する。
【発明の開示】
【発明が解決しようとする課題】
【０００４】  上記のように、従来のシャッター装置では、ガレージ、倉庫等の入口を閉塞して使用する際、外部からの風圧に対して、シャッターをガイド部材からの離脱を防止することができなかったので、本発明は、シャッターを構成するスラットの一部を補強部として利用し、全体としての強度を向上してシャッター装置の損傷或いは破損を未然に防止するようにしている。
【課題を解決するための手段】
【０００５】  本発明は、ガイド溝を対向して設置される一対のガイド部材と、該ガイド部材に両端を摺動自在に内設せるシャッターと、これらガイド部材及びシャッターの上部に位置し、シャッターを捲装して収納するシャッター収納部材とより構成し、前記シャッターは端縁部を曲成して互いに枢着結合を行うスラットの集合体にして、これらスラットの集合体が前記ガイド部材に位置するとき外部からの異常風圧が加わったとき内方に曲成してガイド溝よりシャッターの両端が離脱しないように離脱防止機構を設けたことを特徴とする。【０００６】  また、前記離脱防止機構は、スラットの集合体の少くとも一対の隣り合う上下スラットの両端を前記ガイド部材の間隙より小さくして、これらを折りたたむことにより重合して補強構成にしたことを特徴とする。【０００７】  更に、前記離脱防止装置は、スラット集合体の一部に、その両端に補強金具として係合体を設け、その端縁をガイド溝に係合関係に配設したことを特徴とする。【０００８】  次に、前記補助金具となる係合体は、スラットにスポット熔接等にて固着され、その端縁は、ガイド溝と互いの折り返しにより係合したことを特徴とする。
【発明の効果】
【０００９】  本発明によるシャッター装置は、ガレージ、倉庫等に設置され、外部から異常風圧が加わったとき離脱防止装置が働き、シャッターをガイド部材よりの離脱を防止して安全をはかるものである。【００１０】  すなわち、シャッターの少くとも一対のスラットを垂直方向から水平方向に折りたたむことにより重合して外部からの風圧に対して強度を増加させる。【００１１】  また、スラットに設けた補助金具とガイド溝の係合により、両者の係合関係がシャッターの曲成による内方向への偏位を防ぎガイド溝より離脱を防ぎ安全を維持することができる。
【発明を実施するための最良の形態】
【００１２】  本発明のシャッター装置を、図１〜図９に基づいて説明する。図１は、家屋、倉庫、ガレージ等に設置されたシャッター装置の内側よりの正面図、図２は、図１Ａ−Ａ断面図、図３は、スラット相互間の結合部分を示す断面図、図４は、図１Ｂ−Ｂ断面図、図５は、図１Ｃ−Ｃ断面図、図６は、スラットを折りたたんだ状態を示すシャッター装置の内側よりの正面図、図７は、図６Ｄ−Ｄ断面図、図８は、他の実施例の要部正面図、第９図は同じく要部断面図である。【００１３】  本発明は、対向して設置された一対のガイド部材１、１と、該ガイド部材に両端を内設して摺動自在にしたシャッター２と、該シャッター及び前記ガイド部材１、１の上部に位置し、シャッター２を捲装して収納せるシャッター収納部材３と、より構成されている。【００１４】  ガイド部材１、１は、対向して設置され夫々ガイド溝４、４の開口部を対設している。【００１５】  シャッター２は、多数のスラット５、５…を横長に配設して集合体としており、その上下に設けた屈曲部６、６を結合させてヒンジ７として枢着している。そして、横方向の両端を前記ガイド溝４、４に摺動自在に内設し、上下方向に移動して上部端縁をシャッター収納部材３の内部に臨ませ捲取ドラム８に捲装するよう配置している。【００１６】  また、シャッター２は、スラット集合体の少くとも一対の隣り合う上下スラット５、５の両端の長さ９を、前記ガイド部材１、１の内側の間隙１０より小さくなるようにしており、このスラット５、５を上下方向から折りたたんで重合することにより離脱防止機構１１を構成している。【００１７】  上記離脱防止機構１１は、スラット集合体の上下方向に適当個所に設けられ外側からの異常風圧等の圧力に耐えるようにしている。【００１８】  次に、図８及び図９に他の実施例の正面図、断面図を示し、これについて説明する。
すなわち、ガイド部材１、１は、その開口端は、少くとも一方を対向方向に折り曲げて係合縁１２を設け、更にスラット５の一面にスポット熔設等にて固着した補助金具１３の先端鉤着片１４を、前記係合縁１２に鉤着係合している。この係合体１３は弾性板体が適当である。【００１９】  上記係合体１３の鉤着体１４がガイド部材１、１の開口縁にあって、係合縁１２に鉤着係合することによって離脱防止装置１１を形成する。図８、９ではスラット５の一方のみの開示ではあるが、スラットの両端に設けることが望ましい。
【図面の簡単な説明】
【００２０】
【図１】  本発明のシャッター装置の内側よりの正面図、
【図２】  図１Ａ−Ａ断面図、
【図３】  スラット相互間の結合部分を示す断面図、
【図４】  図１Ｂ−Ｂ断面図、
【図５】  図１Ｃ−Ｃ断面図、
【図６】  スラットを折りたたんだ状態を示すシャッター装置の内側よりの正面図、
【図７】  図６Ｄ−Ｄ断面図、
【図８】  他の実施例のシャッター装置の内側よりの要部正面図、
【図９】  同じく要部断面図、
【符号の説明】
【００２１】  １、１  ガイド部材
２  シャッター
３  シャッター収納部材
４、４  ガイド溝
５、５…  スラット
６、６  屈曲部
７  ヒンジ
８  捲取ドラム
１１  離脱防止機構
１２  係合縁
１３  係合体
１４  鉤着片
【図１】
2006342644.tif 000003
【図２】
2006342644.tif 000004
【図３】
2006342644.tif 000005
【図４】
2006342644.tif 000006
【図５】
2006342644.tif 000007
【図６】
2006342644.tif 000008
【図７】
2006342644.tif 000009
【図８】
2006342644.tif 000010
【図９】
2006342644.tif 000011